(57)【要約】【課題】  簡易な構成でデジタル放送チャンネルを切換える際に映像信号の表示が途切れることがなく、視聴者に違和感を与えることを解消することができるデジタル放送受信装置を提供する。【解決手段】  チャンネル選択部１６で選択されたチャンネルのデジタル放送を受信する主チューナー２と、所定時間間隔で異なるチャンネルのデジタル放送を選局受信する副チューナー３と、該副チューナーで受信した異なるチャンネルのデジタル放送受信データをチャンネル番号と対応付けして記憶する放送データ記憶部１０と、通常は前記主チューナーで受信したデジタル放送受信データを映像処理して映像情報を表示し、前記チャンネル選択部で選局視聴するチャンネルを切換える際に選択したチャンネルの同期処理が完了するまでの間前記放送データ記憶部に記憶されている該当チャンネルのデジタル放送受信データを映像処理して映像情報を表示する映像処理部８とを備えている。【選択図】  図１
2006191267.tif 000002
【特許請求の範囲】
【請求項１】
選局視聴するデジタル放送のチャンネルを選択するチャンネル選択部を有し、該チャンネル選択部で選択されたチャンネルのデジタル放送を受信する主チューナーと、デジタル放送を受信して異なるチャンネルのデジタル放送を少なくとも前記デジタル放送のチャンネル切換え時における画像再生開始時間以上の時間間隔で順次選局受信する副チューナーと、該副チューナーで受信した異なるチャンネルのデジタル放送受信データから分離した映像信号をチャンネル番号と対応付けして記憶する放送データ記憶部と、通常は前記主チューナーで受信したデジタル放送受信データを映像処理して映像情報を表示し、前記チャンネル選択部で選局視聴するチャンネルを切換える際に選択したチャンネルの同期処理が完了するまでの間前記放送データ記憶部に記憶されている該当チャンネルの映像信号を映像処理して映像情報を表示する映像処理部とを備えていることを特徴とするデジタル放送受信装置。
【請求項２】
前記副チューナーは、前記主チューナーで受信している放送チャンネルを除く他の放送チャンネルのデジタル放送受信データを切換え受信するように構成されていることを特徴とする請求項１に記載のデジタル放送受信装置。
【請求項３】
前記主チューナー及び副チューナーの何れか一方が複数のチューナーで構成されていることを特徴とする請求項１又は２に記載のデジタル放送受信装置。
【請求項４】
前記放送データ記憶部は、前記副チューナーで受信した放送受信データをデコーダで復号した映像信号を記憶するように構成されていることを特徴とする請求項１乃至３の何れか１項に記載のデジタル放送受信装置。
【請求項５】
前記放送データ記憶部は、前記副チューナーから出力されるトランスポートストリームをＭＰＥＧデータである圧縮映像信号、音声信号及び付加情報に分離するＤＥＭＵＸ回路から出力される圧縮映像信号を記憶するように構成されていることを特徴とする請求項１乃至３の何れか１項に記載のデジタル放送受信装置。
【請求項６】
前記放送データ記憶部は、各放送チャンネルの映像信号を、前記チャンネル選択部によって選局視聴チャンネルを切換えた時点から前記主チューナーから出力される放送受信データの同期確立に要する時間以上記憶するように構成されていることを特徴とする請求項１乃至５の何れか１項に記載のデジタル放送受信装置。
【請求項７】
前記放送データ記憶部は、副チューナーで受信した放送受信データから独立した静止画像データを抽出して記憶するように構成されていることを特徴とする請求項１乃至４の何れか１項に記載のデジタル放送受信装置。
【発明の詳細な説明】
【技術分野】
【０００１】
本発明は、放送衛星や地上局から送信されるデジタル放送電波又はケーブルを利用して送信されるケーブルテレビを利用して放送されるデジタル放送を受信するデジタル放送受信装置に関する。
【背景技術】
【０００２】
デジタル放送信号を受信して映像情報を表示するデジタル放送受信装置としては、例えば映像信号を受像するチャンネルを選局する主チューナー部及びテキスト信号をデコードするチャンネルを選局する副チューナー部と、副チューナーが選局した信号の垂直帰線期間からテキスト信号を抜き取るテキスト信号抜取部と、抜取ったテキスト信号をデコードするテキスト信号デコード部と、デコードしたテキストデータを記憶するテキストデータメモリー部と、主チューナー部の選局を制御する主チューナー制御部と、副チューナー部の選局を制御する副チューナー制御部と、主チューナー制御部と副チューナー制御部が選局するチャンネルを制御するチャンネル制御部と、チャンネル制御部が選局する副チューナー部のチャンネルを、蓄積するべきテキスト信号のチャンネルに自動的に切り換えるようにする独立切換入力部と、チャンネル制御部が選局する副チューナーのチャンネルを主チューナー部と連動させて切り換える連動切換入力部とを少なくとも備えたチャンネル切換回路が知られている（例えば、特許文献１参照）。
【０００３】
また、１つのチャンネルを１つのチューナー部で受信するチューナー部を複数設け、各チューナー部が夫々の番組を受信し、コントローラ部は各チューナー部からのデータをパラレルに処理し、個々のチューナー部が受信したデータをチャンネル毎のデータに分解して、夫々チューナー部に対応した記録部に記録し、記録部に記憶されたデータはコントローラ部によって、記録しながらでも記録済みデータの任意の部分を引き出し、以前に遡って視聴することができるようにしたＴＶ番組視聴装置が知られている（例えば、特許文献２参照）。
【０００４】
さらに、通常視聴のチャンネルを受信する第１のチューナーと、通常視聴でないチャンネルを受信する第２のチューナーと、チャンネルごとの受信ＴＳデータを格納する記録ユニットとを具備し、通常視聴のチャンネルを受信していない第２のチューナーのチャンネルを自動的且つ周期的に切り替え、数チャンネル又は全チャンネルの各チャンネルの受信ＴＳデータを数秒分づつ、記録ユニットの所定記録領域に巡回して記録し、デジタル放送のチャンネル切り替え時に、指定されたチャンネルの受信ＴＳデータが通常視聴側でデコード出力表示されるまで、前記記録ユニットに記録されている指定チャンネルの受信ＴＳデータを再生してデコード出力表示し、指定チャンネルの受信ＴＳデータのデコード出力表示が通常視聴側で確率した時点で、通常視聴側の受信ＴＳデータのデコード出力表示に切り替えるようにしたデジタルテレビ放送受信機が知られている（例えば、特許文献３参照）。
【特許文献１】特開平１１−１４６３５１号公報（第１頁、図１）
【特許文献２】特開２００２−１６５１４６号公報
【特許文献３】特開２００１−３０９２５５号公報（第１頁、図１）
【発明の開示】
【発明が解決しようとする課題】
【０００５】
しかしながら、上記特許文献１に記載された従来例にあっては、多くのチャンネルが有するテキスト信号から、ユーザーが所望するチャンネルから、所望する形式のサービスをユーザーが切り換えて選択することを可能にすることができるものであるが、デジタル放送受信装置（デジタルテレビ）のチャンネル切り換えには、チューナーで受信したデジタル放送データを信号処理する際に同期を確立させるために要する待ち時間が必要であり、チャンネル切換えを指示してから実際に該当するチャンネルの映像信号が表示されるまでの間に映像信号の表示が途切れて、視聴者に違和感を与えるという未解決の課題がある。
【０００６】
上記特許文献２に記載された従来例にあっては、複数のチューナーに対応する記録部に記憶されたデータを記録しながらでも記録済みデータの任意部分を引き出し、以前に遡って視聴することができるものであるが、デジタル放送のチャンネル数に応じたチューナー部を設け、各チューナー部に対応させて受信したデジタル放送データの同期を確立させて信号処理する信号処理部を設ける場合には、チャンネル切換え時に待ち時間が生じることはないが、デジタル放送チャンネル数に応じたチューナー部と信号処理部が必要となり、製作コストが嵩み現実的ではないという未解決の課題がある。
【０００７】
さらに、上記特許文献３に記載された従来例にあっては、第１のチューナー、第１の復調器及び第１のＴＳ分離器で通常視聴するチャンネルのデジタル放送を受信して表示処理し、この間に第２のチューナー、第２の復調器及び第２のＴＳ分離器でチャンネル自動的且つ周期的に切り替え、数チャンネル又は全チャンネルの受信ＴＳデータを数秒づつ、記録ユニットの所定記録領域に巡回して記録し、この第１のチューナーでのチャンネル切り替え時に記録ユニットに記録されている受信ＴＳデータをデコーダに供給して再生するようにしているが、記録ユニットに記録されている受信ＴＳデータをデコーダでデコードする必要があり、このためには通常１ＧＯＰ毎に挿入されているシーケンスヘッダを解析して映像デコードに必要なパラメータを取得してデコーダを設定する必要があり、このために待ち時間が必要となるという未解決の課題がある。
【０００８】
そこで、本発明は、上記従来例の未解決の課題に着目してなされたものであり、簡易な構成でデジタル放送チャンネルを切換える際に映像信号の表示が途切れることがなく、視聴者に違和感を与えることを解消することができるデジタル放送受信装置を提供することを目的としている。
【課題を解決するための手段】
【０００９】
第１の発明に係るデジタル放送受信装置は、選局視聴するデジタル放送のチャンネルを選択するチャンネル選択部を有し、該チャンネル選択部で選択されたチャンネルのデジタル放送を受信する主チューナーと、デジタル放送を受信して異なるチャンネルのデジタル放送を少なくとも前記デジタル放送のチャンネル切換え時における画像再生開始時間以上の時間間隔で順次選局受信する副チューナーと、該副チューナーで受信した異なるチャンネルのデジタル放送受信データから分離した映像信号をチャンネル番号と対応付けして記憶する放送データ記憶部と、通常は前記主チューナーで受信したデジタル放送受信データを映像処理して映像情報を表示し、前記チャンネル選択部で選局視聴するチャンネルを切換える際に選択したチャンネルの同期処理が完了するまでの間前記放送データ記憶部に記憶されている該当チャンネルの映像信号を映像処理して映像情報を表示する映像処理部とを備えていることを特徴としている。
【００１０】
この第１の発明では、チャンネル選択部で選択したデジタル放送チャンネルのデジタル放送を主チューナーで受信し、受信したデジタル放送データを映像処理部で映像処理した映像情報を表示装置で表示している状態で、副チューナーで所定時間間隔で異なるチャンネルのデジタル放送を選局受信し、受信した各チャンネルのデジタル放送データから分離した映像信号をチャンネル番号と対応付けして順次放送データ記憶部に記憶し、チャンネル選択部で新たなチャンネルが選択された際に、映像処理部で、該当チャンネルの同期処理が完了するまでの間前記放送データ記憶部に記憶されている該当チャンネルの映像信号を映像処理した映像情報を表示するので、チャンネル切換え時に表示装置での映像表示が途切れることを確実に防止することができると共に、放送データ記憶部に該当チャンネルの直前の放送データが記憶されており、これが表示されるので、視聴者に違和感を与えることなくチャネル切換えを行うことができる。
【００１１】
また、第２の発明に係るデジタル放送受信装置は、第１の発明において、前記副チューナーは、前記主チューナーで受信している放送チャンネルを除く他の放送チャンネルのデジタル放送受信データを切換え受信するように構成されていることを特徴としている。
この第２の発明では、副チューナーが主チューナーで受信している放送チャンネルを除く他の放送チャンネルのデジタル放送受信データを順次切換え受信するので、放送データ記憶部に記憶させるデジタル放送データ数を１つ減少させて、放送データ記憶部の記憶容量を小さくすることができる。
【００１２】
さらに、第３の発明に係るデジタル放送受信装置は、第１又は第２の発明において、前記主チューナー及び副チューナーの何れか一方が複数のチューナーで構成されていることを特徴としている。
この第３の発明では、主チューナー及び副チューナーの何れか一方を複数のチューナーで構成されるので、主チューナーを複数のチューナーで構成した場合には、各チューナーで異なるチャンネルのデジタル放送を受信させることにより、チャンネル選択部で異なるチャンネルを選択したときに、選択したチャンネルを他のチューナーで受信しているときにはそのチューナーを選択することによりチューナーでの受信処理時間を短縮することができ、全体のチャネル切換時間を短縮することができる。また、副チューナーを複数のチューナーで構成した場合も１つのチューナーでデジタル放送を受信しているときに、他のチューナーで受信処理を開始することができ、副チューナーでの受信処理時間を短縮することができる。
【００１３】
さらにまた、第４の発明に係るデジタル放送受信装置は、第１乃至第３の発明の何れか１つにおいて、前記放送データ記憶部は、前記副チューナーで受信した放送受信データをデコーダで復号した映像信号を記憶するように構成されていることを特徴としている。
この第４の発明では、放送データ記憶部で副チューナーで受信した放送受信データを同期処理を行ってからデコーダで復号した映像信号を記憶するので、放送データ記憶部に記憶されている映像信号を映像処理部で映像処理することにより直ちに映像情報として表示することができ、チャンネル切換え時の映像情報の表示が途切れることを確実に防止することができる。
【００１４】
なおさらに、第５の発明に係るデジタル放送受信装置は、第１乃至第３の発明の何れか１つにおいて、前記放送データ記憶部は、前記副チューナーから出力されるトランスポートストリームをＭＰＥＧデータである圧縮映像信号、音声信号及び付加情報に分離するＤＥＭＵＸ回路から出力される圧縮映像信号を記憶するように構成されていることを特徴としている。
【００１５】
この第５の発明では、ＤＥＭＵＸ回路では副チューナーから出力されるトランスポートストリームに対してＴＳ同期処理を行って多重分離して圧縮映像信号、音声信号及び付加情報に分離するので、ＴＳ同期処理が既に済んだ圧縮映像信号を記憶することができ、映像処理部での復号時間による僅かな待ち時間が必要となるが、ＭＰＥＧ符号化された圧縮データを記憶することになるので、放送データ記憶部の記憶容量をより少なくすることができる。
【００１６】
また、第６の発明に係るデジタル放送受信装置は、第１乃至第５の発明の何れか１つにおいて、前記放送データ記憶部は、各放送チャンネルのデジタル放送受信データを、前記チャンネル選択部によって選局視聴チャンネルを切換えた時点から前記主チューナーから出力される放送受信データの同期確立に要する時間以上記憶するように構成されていることを特徴としている。
【００１７】
この第６の発明では、放送データ記憶部で、各放送チャンネルのデジタル放送受信データを、チャネル選択部によって選局視聴チャンネルを切換えた時点から主チューナーから出力される放送受信データの同期確立に要する時間以上記憶するので、チャンネル切換えを頻繁に行っても順次選択されたチャンネルの直前の映像情報を途切れることなく表示することができる。
【００１８】
さらに、第７の発明に係るデジタル放送受信装置は、第１乃至第４の発明の何れか１つにおいて、前記放送データ記憶部は、副チューナーで受信した放送受信データから独立した静止画像データ例えば入力信号をそのまま符号化したフレームで他のフレーム情報を用いることなく単独で静止画像を構成することができるＩピクチャー（Intra coded picture）を抽出して記憶するように構成されていることを特徴としている。
【００１９】
この第７の発明では、放送データ記憶部で、副チューナーで受信した放送受信データから独立した静止画像データ例えば入力信号をそのまま符号化したフレームで他のフレーム情報を用いることなく単独で静止画像を構成することができるＩピクチャー（Intra coded picture）を抽出して記憶することにより、チャンネル切換え時に選択チャンネルの直前の静止画像情報を表示することができる。
【発明を実施するための最良の形態】
【００２０】
以下、本発明の実施の形態を図面に基づいて説明する。
図１は、本発明の第１の実施形態を示すブロック図であって、図中、１はデジタル放送局から送信されるデジタル放送電波を受信する受信アンテナであり、この受信アンテナで受信したデジタル放送電波が主デジタルチューナー２及び副デジタルチューナー３に供給される。
【００２１】
主デジタルチューナー２は、通常の放送チャンネルの選局に使用するデジタルチューナーであり、デジタル放送のチャンネル番号と対応する周波数のデータとが設定されており、後述する制御回路１４から選択チャンネル番号が入力されると、この選択チャネル番号に応じた周波数のデジタル放送データを抽出し、抽出したデジタル放送データに高周波処理及び復調処理を行ってトランスポートストリームとしてＤＥＭＵＸ回路４に出力する。
【００２２】
副デジタルチューナー３は、受信するデジタル放送データを所定時間間隔で順次切換える順次チャンネル選択機能を有するデジタルチューナーであり、主デジタルチューナー２と同様にデジタル放送のチャンネル番号と対応する周波数のデータとが設定されており、後述する制御回路１４から選択チャネル番号が入力される毎に、選択チャンネル番号に応じた周波数のデジタル放送データを抽出し、抽出したデジタル放送データに高周波処理及び復調処理を行ってトランスポートストリームとしてＤＥＭＵＸ回路５に出力する。
【００２３】
ＤＥＭＵＸ回路４及び５の夫々は、主デジタルチューナー２及び副デジタルチューナー３から出力されるトランスポートストリームに対してＴＳ同期処理を行って多重分離してＭＰＥＧデータである圧縮映像信号、音声信号及び選局情報及び番組情報等で構成される付加情報に分離し、分離したＭＰＥＧデータである圧縮映像信号及び音声信号をデコーダ６及び７に出力すると共に、選局情報及び番組情報等で構成される付加情報を後述する制御回路１４に出力する。
【００２４】
デコーダ６及び７は、ＤＥＭＵＸ回路４及び５から出力されるＭＰＥＧデータである圧縮映像信号及び音声信号を個別に復号して映像信号及び音声信号に変換し、変換した映像信号及び音声信号を映像処理部としての映像処理回路８及び音声処理回路９に出力する。
一方、デコーダ７から出力される映像信号は、フラッシュメモリ等で構成される放送データ記憶部１０に供給されて主デジタルチューナー２でチャンネル切換えを行う際に新たな放送チャンネルのデジタル放送データを同期確立してデコーダ６から復号データが出力されるまでに要する待ち時間以上に設定された各放送チャンネルの映像信号を各放送チャンネル番号に対応させて形成した記憶領域に順次上書き記憶する。このため、放送データ記憶部１０には、所定時間毎に副デジタルチューナー３から出力されるデジタル放送データがＤＥＭＵＸ回路５で多重分離され、デコーダ７で復号された映像信号が上記待ち時間以上に設定された時間分繰り返し上書き記憶される。
【００２５】
そして、映像処理回路８では、制御回路１４から供給される選択信号ＳＣが例えば論理値“１”であるときにデコーダ６から入力される画像信号を選択し、選択信号ＳＣが論理値“０”であるときに、放送データ記憶部１０から読み出される選択チャンネル番号に対応した映像信号を選択し、選択した映像信号に輝度、コントラスト等の調整を行って映像データとして表示制御部１１に出力し、この表示制御部１１に接続された液晶ディスプレイ、プラズマディスプレイ、ＣＲＴディスプレイ等で構成される表示装置１２に映像データを表示する。
【００２６】
音声処理回路９では、デコーダ６から入力される音声信号を増幅してスピーカ１３に出力する。
一方、制御回路１４は、リモコン受信回路１５で外部のリモコン１６から受信したチャンネル番号選択信号、音量調整信号等のリモコン信号に基づいて主デジタルチューナー２に対して選局する選択チャンネル番号を出力すると共に、副デジタルチューナー３に対して所定時間毎にチャンネル番号を例えば繰り上げて選択チャンネル番号を出力し、さらに映像処理回路８に対してチャンネル切換え時に論理値“０”の選択信号ＳＣを出力し、それ以外の通常処理時には論理値“１”の選択信号ＳＣを出力する。
【００２７】
ここで、制御回路１４は、少なくとも例えば図２に示すデジタル放送受信処理を実行する中央処理装置１４ａ、この中央処理装置１４ａで実行する処理のプログラムを格納するＲＯＭ１４ｂ、中央処理装置１４ａで実行する処理の演算過程のデータや演算結果データを記憶するＲＡＭ１４ｃとを有するマイクロコンピュータ１４Ｍで構成されている。
中央処理装置１４ａで実行するデジタル放送受信処理は、図２に示すように、デジタル放送受信装置の電源が投入されたときに実行開始され、先ず、ステップＳ１で、映像処理回路８に対して論理値“１”の選択信号ＳＣを出力し、次いでステップＳ２に移行して、リモコン受信回路１５でリモコン１６からのチャンネル番号選択信号を受信したか否かを判定し、チャンネル番号選択信号を受信していないときにはこれを受信するまで待機し、チャンネル番号選択信号を受信したときにはステップＳ３に移行する。
【００２８】
このステップＳ３では、チャンネル番号選択信号で指定されたチャンネル番号を主デジタルチューナー２に出力し、次いでステップＳ４に移行して、ＤＥＭＵＸ回路４から多重分離された選局情報及び番組情報等で構成される付加情報が入力されたか否かを判定し、付加情報が入力されていないときにはこれが入力されるまで待機し、付加情報が入力されたときにはステップＳ５に移行する。
【００２９】
このステップＳ５では、付加情報に含まれる選局情報に基づいて受信可能なデジタル放送チャンネルを決定し、決定されたデジタル放送チャンネルから現在主デジタルチューナー２で選択されているデジタル放送チャンネルを除く他のデジタル放送チャンネルについて例えばチャンネル番号の若い順にソートし、次いでステップＳ６に移行して、例えば一番若いチャンネル番号を選択チャンネル番号として副デジタルチューナー３に出力してからステップＳ７に移行する。
【００３０】
このステップＳ７では、デコーダ７から映像信号 が出力されたか否かを判定し、映像信号が出力されていないときにはステップＳ８に移行してリモコン１６からチャンネル番号選択信号が入力されたか否かを判定し、チャンネル番号選択信号が入力されていないときには前記ステップＳ７に戻る。
また、ステップＳ７の判定結果が、デコーダ７から映像信号が出力されたときには、ステップＳ９に移行して、映像信号を放送データ記憶部１０に形成した該当チャンネル番号の放送データ記憶領域に上書きしながら記憶し、次いでステップＳ１０に移行して、映像信号の記憶を開始してから所定時間即ち主デジタルチューナー２で制御回路１４から選択チャンネル番号が出力されてからデコーダ６から映像信号が出力されるまでの待ち時間以上好ましくは待ち時間に僅かな余裕時間を加えた設定時間が経過したか否かを判定し、設定時間が経過していないときには前記ステップＳ９に戻り、設定時間が経過したときにはステップＳ１１に移行して、前述したステップＳ２及びＳ０８と同様にリモコン受信回路１５でリモコン１６からのチャンネル番号選択信号を受信したか否かを判定し、チャンネル番号選択信号を受信していないときにはステップＳ１２に移行して、現在のチャンネル番号の次に若いチャンネル番号が存在するか否かを判定し、次に若いチャンネル番号が存在する場合にはステップＳ１３に移行して該当チャンネル番号を選択チャンネル番号として副デジタルチューナー３に出力してから前記ステップＳ７に戻り、次に若いチャンネル番号が存在しない場合には、前記ステップＳ６に戻る。
【００３１】
一方、前記ステップＳ８及びＳ１１の判定結果が、リモコン１６からのチャンネル番号選択信号を受信したものであるときにはステップＳ１４に移行して、主デジタルチューナー２に対して選択チャンネル番号を出力し、次いでステップＳ１５に移行して、映像処理回路８に対して論理値“０”の選択信号ＳＣを出力し、次いでステップＳ１６に移行して、放送データ記憶部に記憶されている該当チャンネル番号の映像信号を読出して、バッファ回路を介して映像処理回路８に供給する。
【００３２】
次いで、ステップＳ１７に移行して、デコーダ６から主デジタルチューナー２で受信した新たなチャンネル番号の映像信号が出力されたか否かを判定し、新たな映像信号が出力されていないときには前記ステップＳ１６に戻り、新たな映像信号が出力されたときにはステップＳ１８に移行して、映像処理回路８に対して論理値“１”の選択信号ＳＣを出力してから前記ステップＳ１２に戻る。
【００３３】
次に、上記第１の実施形態の動作を説明する。
今、デジタル放送受信装置の電源が投入されていないものとすると、制御回路１４を含む全ての回路に電源が供給されておらず、デジタル放送を受信できない状態となっている。
この状態で、デジタル放送受信装置の電源が投入されると、制御回路１４を含む全ての回路に電源が供給されて作動状態となり、制御回路１４のマイクロコンピュータ１４Ｍにおける中央処理装置１４ａで図２に示すデジタル放送受信処理が実行開始される。
【００３４】
このデジタル放送受信処理では、先ず、映像処理回路８に対して論理値“１”の選択信号ＳＣが出力され（ステップＳ１）、これによって映像処理回路８でデコーダ６から出力されるアナログ映像信号を選択して映像処理するように設定される。
次いで、リモコン１６からチャンネル番号を指定するチャンネル番号選択信号が入力されたか否かを判定し、チャンネル番号選択信号が入力されていないときにはこれが入力されるまで待機し、ユーザーがリモコン１６を操作してチャンネル番号を指定することによりチャンネル番号選択信号がリモコン受信回路１５で受信したときには受信したチャンネル番号選択信号で指定されたチャンネル番号を主デジタルチューナー２に出力する（ステップＳ３）。
【００３５】
このため、主デジタルチューナー２で、指定されたチャンネル番号のデジタル放送データを抽出し、これを周波数処理及び復調処理してトランスポートストリームをＤＥＭＵＸ回路４に出力する。このＤＥＭＵＸ回路４では、入力されるトランスポートストリームに対してＴＳ同期処理を行ってから多重分離してＭＰＥＧデータである圧縮映像信号、圧縮音声信号及び選局情報及び番組情報等で構成される付加情報を分離し、付加情報をマイクロコンピュータ１４Ｍの中央処理装置１４ａに出力し、圧縮映像信号及び圧縮音声信号を夫々デコーダ６に出力する。
【００３６】
このデコーダ６では入力される圧縮映像信号及び圧縮音声信号を復号して通常の映像信号及び音声信号に変換し、変換した映像信号及び音声信号を夫々映像処理回路８及び音声処理回路９に出力する。
このため、映像処理回路８では、選択信号ＳＣが論理値“１”であることからデコーダ６から出力される映像信号が選択されて、この映像信号に輝度、コントラスト等の調整を行って映像データとして表示制御部１１を介して表示装置１２に出力し、この表示装置１２で該当チャンネルの映像情報が表示される。
【００３７】
一方、ＤＥＭＵＸ回路４から付加情報が出力されると、これに含まれる選局情報に基づいて受信可能なデジタル放送チャンネルを決定し、決定したデジタル放送チャンネル番号をソートしてチャンネル番号の若い順に並べ替え（ステップＳ５）、このうち一番若いデジタル放送チャンネルのチャンネルを選択チャンネル番号として副デジタルチューナー３に出力する。
【００３８】
このため、副デジタルチューナー３でも選択チャンネル番号に応じたデジタル放送チャンネルの受信を開始し、受信したデジタル放送データを周波数処理及び復調処理することにより、トランスポートストリームとしてＤＥＭＵＸ回路５に出力する。
このため、ＤＥＭＵＸ回路５では、トランスポートストリームに対してＴＳ同期処理を行ってから多重分離を行ってＭＰＥＧデータである圧縮映像信号、圧縮音声信号及び付加情報に分離し、映像信号をデコーダ７に出力して、復号することにより通常の映像信号に変換し、この映像信号を放送データ記憶部１０のチャンネル番号に対応する記憶領域に記憶する。
【００３９】
この映像信号の放送データ記憶部１０への記憶が設定時間継続され、主デジタルチューナー２にチャンネル番号を出力してからデコーダ６から映像信号が出力される状態となるまでの待ち時間以上に設定された設定時間が継続すると、放送データ記憶部１０への映像信号の記録を停止する。
そして、この状態で、リモコン１６からチャンネル番号選択信号が入力されていないものとすると、ステップＳ１１からステップＳ１２に移行して、次に若いチャンネル番号が存在するか否かを判定し、次に若いチャンネル番号が存在する場合にはステップＳ１３に移行して、該当チャンネル番号を選択チャンネル番号として副デジタルチューナー３に出力して、チャンネル切換えを行う。
【００４０】
そして、新たなチャンネル番号について上記と同様の処理を実行してデコーダ７から出力される通常の映像信号を放送データ記憶部１０のチャンネル番号に対応した記憶領域に上書き記憶する。
このようにして、順次受信可能なデジタル放送局のチャンネル番号を繰り上げながら設定時間分映像信号を放送データ記憶部１０に記憶して行き、一番上のチャンネル番号における映像信号の記憶が完了すると、ステップＳ１２に移行したときに、次に若いチャンネル番号が存在しないので、ステップＳ６に移行して、一番若いチャンネル番号が選択チャンネル番号として副デジタルチューナー３に出力されて、このときデコーダ７から出力される映像信号が放送データ記憶部１０のチャンネル番号に対応する記憶領域に上書き記憶される。
【００４１】
このため、放送データ記憶部１０には、リモコン１６からチャンネル切換えを行うチャンネル番号選択信号が入力されるまでの間、主デジタルチューナー２で受信しているデジタル放送データを除く残りの全てのデジタル放送チャンネルにおける映像信号が常に最新の状態に更新しながら記憶される。
この状態で、ユーザーが現在視聴しているデジタル放送チャンネルとは異なるデジタル放送チャンネルを視聴するためにリモコン１６を操作して所望のデジタル放送チャンネルを入力すると、これに応じたチャンネル番号選択信号が例えば赤外線通信で送信されてリモコン受信回路１５で受信される。
【００４２】
このようにリモコン受信回路１５でチャンネル番号選択信号を受信すると、図２の処理におけるステップＳ８又はＳ１１からステップＳ１４に移行し、チャンネル番号選択信号で指定されたチャンネル番号が主デジタルチューナー２に出力されて、主デジタルチューナー２で新たなチャンネル番号のデジタル放送データの受信処理が開始される。
次いで、映像処理回路８に論理値“０”の選択信号ＳＣが出力されることにより、この映像処理回路８が放送データ記憶部１０から読出される映像信号を選択し、次いでステップＳ１６に移行して、放送データ記憶部１０に記憶されている新たに選択されたチャンネル番号に対応する映像信号が順次読出されて映像処理回路８に入力される。
【００４３】
このため、映像処理回路８で、最大で設定時間×（受信可能なデジタル放送チャンネル数−１）前の該当するチャンネル番号の映像信号について輝度、コントラスト等の調整を行って映像データとして表示制御部１１を介して表示装置１２に出力する。
このため、表示装置１２では、リモコン１６からチャンネル番号選択信号が出力されたと略同時に今までのチャンネル番号の映像情報に代えて、放送データ記憶部１０に記憶されている映像情報に瞬時に切換わり、表示装置１２での映像が途切れることなく映像表示が継続される。しかも、表示される映像がユーザーが所望とするチャンネル番号の直前の映像情報であるので、ユーザーが違和感なく視認することができる。
【００４４】
その後、主デジタルチューナー２から出力されるトランスポートストリームをＤＥＭＵＸ回路４でＴＳ同期処理を行った後多重分離してＭＰＥＧデータである圧縮映像信号、圧縮音声信号及び付加情報に分離し、分離した圧縮映像信号及び圧縮音声信号をデコーダ６に供給して復号することにより、通常の映像信号及び音声信号に変換し、この映像信号がデコーダ６から出力されると、図２のステップＳ１７からステップＳ１８に移行して、論理値“１”の選択信号ＳＣが映像処理回路８に出力されることにより、デコーダ６から出力される映像信号に輝度及びコントラスト等の調整を行ったアナログ映像データが表示制御部１１を介して表示装置１２に供給されることになり、それまでの放送データ記憶部１０から読出した画像信号に基づく映像情報から新たなチャンネル番号に対応した正規の画像情報に画像情報が途切れることなく切換わり、この状態でもユーザーに違和感を与えることなく映像情報の切換えが行われる。
【００４５】
次に、本発明の第２の実施形態を図３及び図４について説明する。
この第２の実施形態では、放送データ記憶部１０に記憶する放送データとしてデコーダ７から出力されるアナログ映像信号に代えてＤＥＭＵＸ回路５から出力されるＭＰＥＧデータである圧縮映像信号を記憶するようにしたものである。
すなわち、第２の実施形態では、図３に示すように、前述した第１の実施形態における図１の構成において、デコーダ７が省略されて、ＤＥＭＵＸ回路５から出力されるＭＰＥＧデータである圧縮映像信号が放送データ記憶部１０のチャンネル番号に対応する記憶領域に上書き記憶するように構成され、さらに、デコーダ６にＤＥＭＵＸ回路４から出力される圧縮映像信号及び放送データ記憶部１０に記憶されている圧縮映像信号が入力されていると共に、制御回路１４におけるマイクロコンピュータ１４Ｍの中央処理装置１４ａから出力される選択信号ＳＣがデコーダ６に入力され、
このデコーダ６で選択信号ＳＣが論理値“１”であるときにＤＥＭＵＸ回路４から出力される圧縮映像信号を選択し、論理値“０”であるときに放送データ記憶部１０から読出された圧縮映像信号を選択し、選択した圧縮映像信号を復号して通常の映像信号に変換するように構成されていることを除いては上述した第１の実施形態と同様の構成を有し、図１との対応部分には同一符号を付し、その詳細説明はこれを省略する。
【００４６】
これに応じて、制御回路１４のマイクロコンピュータ１４Ｍにおける中央処理装置１４ａで実行するデジタル放送受信処理が図４に示すように、第１の実施形態における図２の処理におけるステップＳ１、Ｓ１５、S１８及びＳ２４の処理が選択信号ＳＣをデコーダ６に出力する処理に変更され、ステップＳ７及びＳ１７の処理がＤＥＭＵＸ回路４から圧縮映像信号が出力されたか否かを判定するステップＳ２１及びＳ２２に変更され、ステップＳ９の処理がＤＥＭＵＸ回路５から出力される圧縮映像信号を放送データ記憶部１０の該当チャンネル番号に対応する記憶領域に記憶するステップＳ２３に変更され、さらにステップＳ１６の処理が放送データ記憶部１０に記憶されている該当チャンネル番号の圧縮映像信号をデコーダ６に出力するステップＳ２４に変更されている。
【００４７】
この第２の実施形態によると、主デジタルチューナー２で受信して処理されたトランスポートストリームをＤＥＭＵＸ回路４でＴＳ同期処理及び多重分離処理を行うことにより、ＭＰＥＧデータである圧縮映像信号、圧縮音声信号及び付加情報に分離し、圧縮映像信号及び圧縮音声信号をデコーダ６に供給して復号することにより通常の映像信号及び音声信号に変換し、これらを映像処理回路８及び音声処理回路９に供給して、表示装置１２で映像情報を表示すると共に、スピーカ１３で音声情報を出力している選局視聴状態とすることができる。
【００４８】
この選局視聴状態で、副デジタルチューナー３に所定間隔でデジタル放送チャンネルを順次繰り上げる選択チャンネル番号を出力することにより、順次選択されたデジタル放送チャンネルのトランスポートストリームをＤＥＭＵＸ回路５に出力して、ＭＰＥＧデータである圧縮映像信号、圧縮音声信号及び付加情報に分離し、分離した圧縮映像信号を放送データ記憶部１０のチャンネル番号に対応した記憶領域に記憶することを各デジタル放送チャンネル毎に繰り返すことにより、設定時間分の最新の圧縮映像信号を放送データ記憶部１０に記憶することができる。
【００４９】
このため、ユーザーがリモコン１６を操作して新たなチャンネル番号を選択したときに、そのチャンネル番号選択信号を赤外線通信によってリモコン受信回路１５に送信して、このリモコン受信回路１５で受信すると、第１の実施形態と同様に主デジタルチューナー２に対してチャンネル番号選択信号に対応したチャンネル番号が出力されて、この主デジタルチューナー２が新たなチャンネル番号のデジタル放送データを受信するように切換えられる。
【００５０】
このとき、論理値“０”の選択信号ＳＣがデコーダ６に出力されることにより、このデコーダ６で放送データ記憶部１０から読出された圧縮映像信号を選択し、この圧縮映像信号を復号して通常の映像信号に変換し、これを映像処理回路８に出力することにより、表示装置１２で、第１の実施形態と同様に放送データ記憶部１０に記憶された圧縮映像信号に基づく新たなチャンネル番号での直前の映像情報を表示することができる。
【００５１】
このとき、放送データ記憶部１０に記憶されている圧縮映像信号をデコーダ６で通常の映像信号に変換する際に、処理時間が必要となるが、この場合の処理時間は、ＤＥＭＵＸ回路４及び５のＴＳ同期処理に比較すると格段に少ない時間となり、表示装置１２での表示切換えでユーザーに違和感を与えることを防止することができる。
しかも、第２の実施形態では、ＤＥＭＵＸ回路５から出力されるＭＰＥＧデータである圧縮映像信号を放送データ記憶部１０でチャンネル番号に対応させて記憶するようにしているので、映像信号が圧縮状態を維持しているので、圧縮映像信号の容量が第１の実施形態における映像信号に比較して格段に少なくなり、放送データ記憶部１０の記憶容量を大幅に削減することができ、安価な記憶媒体を適用することができる。
【００５２】
この第２の実施形態においては、デコーダ６及び映像処理回路８で映像処理部を構成している。
次に、本発明の第３の実施形態を図５について説明する。
この第３の実施形態では、ユーザーのデジタル放送チャンネルの使用頻度を計測して、使用頻度が高い放送チャンネルについては記憶回数を増加させるようにしたものである。
【００５３】
すなわち、第３の実施形態では、図５に示すように、マイクロコンピュータ１４Ｍの中央処理装置１４ａで、デジタル放送の各チャンネルの使用頻度を計測するチャンネル使用頻度計測処理を実行する。
このチャンネル使用頻度計測処理は、図５に示すように、所定時間（例えば１０ｍｓｅｃ）毎のタイマ割込処理として実行され、先ず、ステップＳ３１で、リモコン１６でチャンネル切換えが行われたか否かを判定し、チャンネル切換えが行われたときにはステップＳ３２に移行する。
【００５４】
このステップＳ３２では、チャネル切換えが行われてから所定時間（例えば３分程度）を計時するタイマ値Ｔを所定値ｎにセットし、次いでステップＳ３３に移行して現在の所定値ｎから“１”をデクリメントした値を新たな所定値ｎとしてからステップＳ３４に移行し、Ｔ＝０であるか否かを判定し、Ｔ＝０であるときにはチャンネル切換えから所定時間が経過したものと判断してステップＳ３６に移行し、Ｔ＞０であるときにはチャンネル切換えから所定時間が経過していないものと判断してタイマ割込処理を終了して所定のメインプログラムに復帰する。
【００５５】
一方、ステップＳ３１の判定結果が、チャンネル切換えではないときにはステップＳ３５に移行して、Ｔ＞０であるか否かを判定し、Ｔ＞０であるときには前記ステップＳ３３に移行し、Ｔ＝０であるときにはそのままタイマ割込処理を終了して所定のメインプログラムに復帰する。
また、ステップＳ３６では、該当チャンネルのカウント値Ｎｉ（ｉはチャンネル数が例えばａ〜ｆの６つであるものとしたときの何れか１つ）を“１”だけインクリメントしてからステップＳ３７に移行する。
【００５６】
このステップＳ３７では、現在の視聴チャンネル例えばａを除く５チャンネルのカウント数Ｎｂ〜Ｎｆを読込み、各カウント数Ｎｂ〜Ｎｆの比を算出する。次いで、ステップＳ３８に移行して、算出した比に基づいて各チャンネルの選局順位を設定する。このとき、選局対象チャンネル数が５である場合に、カウント数Ｎｂ〜Ｎｆの全てが等しい値であるとき即ち比が全て“１”であるときには、各チャンネルｂ〜ｆがその順番に順次記録される。ところが、例えばチャンネルｂの比が“４”、チャネルｃの比が“３”、チャンネルｄの比が“２”、チャンネルｅ及びｆの比が夫々“１”であるときには、全選局回数が１１回であるので、記録順位は図６に示すようにチャンネルｂ、チャンネルｃ、チャンネルｄ、チャンネルｂ、チャンネルｃ、チャンネルｅ、チャンネルｂ、チャンネルｃ、チャンネルｄ、チャンネルｂ、チャンネルｆのように比に応じた回数でできるだけ均等な間隔となるように選局順位を振り分ける。
【００５７】
次いで、ステップＳ３９に移行して、設定されたチャネル毎の選局順位に応じて副チューナーのチャネル切換制御が行われる。
このように、第３の実施形態によると、ユーザーがデジタル放送受信装置を設置した時点からデジタル放送チャンネルを選択した時点で、その後の所定時間の間にチャンネル切換えが行われないとき即ちユーザーが番組を探すためのチャンネル切換えが終わったときに、該当チャンネルのカウント値Ｎｉが“１”だけインクリメントされることから、ユーザーがよく視聴するチャンネルではカウント値Ｎｉが大きくなり、たまに視聴するチャンネルではカウント値Ｎｉが小さくなる。
【００５８】
このため、前述したように、今、主デジタルチューナー２でチャンネルａを視聴しているときに、残りのチャンネルｂ〜ｆにおけるカウント値Ｎｂ、Ｎｃ、Ｎｄ、Ｎｅ及びＮｆの比が４：３：２：１：１であるときには、副デジタルチューナー３で図６に示すようにチャンネルｂが第１回目、第４回目、第７回目、第１０回目に選局され、チャンネルｃが第２回目、第５回目、第８回目に選局され、チャンネルｄが第３回目及び第９回目に選局され、チャンネルｅが第６回目に選局され、チャンネルｆが第１１回目に選局される。そして、副デジタルチューナー３で受信されたデジタル放送データがＤＥＭＵＸ回路５でＴＳ信号から圧縮映像信号が分離されて、デコーダ７に供給され、このデコーダ７で圧縮映像信号が復号された通常の映像信号が放送データ記憶部１０に記憶される。
【００５９】
このため、放送データ記憶部１０では、副デジタルチューナー３の選局順位に応じて各チャンネルの映像信号が記録される。
したがって、ユーザーがチャンネルａを視聴しているときに、他のチャンネルに切換える頻度は、チャンネルｂが一番高いので、このチャネルｂでは、３回に１回映像信号が記録されていることから、チャンネル切換え時に放送データ記憶部１０に記憶されている映像信号の内最新の映像信号は古くても３回前の映像信号となり、チャンネル切換えを行った場合に表示装置１２に表示される映像信号を最新に近い映像信号とすることができ、切換え頻度が低いチャンネルほど古い映像信号が表示される可能性が高くなる。このため、チャンネル切換時に古い映像信号が頻繁に表示されて映像情報にずれが生じることを抑制してユーザーに違和感を与えることを防止することができる。
【００６０】
なお、上記第３の実施形態においては、説明を簡単にするため比率が整数である場合について説明したが、これに限定されるものではなく、比率が整数とならない場合には、整数比となる近似値を使用するようにしてもよい。
また、上記第３の実施形態においては、比率を算出して、これに基づいて選局順位を設定する場合について説明したが、これに限定されるものではなく、最も多く選ばれるチャネルに最大値を与える優先順位付けを行うようにしてもよい。例えば、視聴可能なデジタル放送チャンネルが５チャネルあれば５：４：３：２：１のように優先順位を設定する、
さらに、上記第３の実施形態においては、デコーダ７で復号した映像信号を放送データ記憶部１０に記憶した場合について説明したが、これに限定されるものではなく、前述した第２の実施形態のようにＤＥＭＵＸ回路５から出力される圧縮映像信号を放送データ記憶部１０に記憶するようにしてもよい。
【００６１】
また、第３の実施形態においては、放送データ記憶部１０に記憶されている映像信号のうち最新の映像信号を映像処理する場合について説明したが、これに限定されるものではなく、使用頻度の多いチャンネルについては複数回記録された映像情報を連続して再生するようにしてもよく、予め全てチャンネルについて複数回映像情報を並列に記録し、これらを連続して再生するようにしてもよい。
【００６２】
また、上記第１〜第３の実施形態においては、放送データ記憶部１０に記憶されている各デジタル放送チャンネルのデジタル放送データを主デジタルチューナー２でのチャンネル切換え時にのみ使用する場合について説明したが、これに限定されるものではなく、記憶されている映像信号又は圧縮映像信号に基づいてマルチ画面を構成し、このマルチ画面をリモコン１６でのチャンネル番号選択時に表示装置１２に表示して選局に使用することもできる。
【００６３】
さらに、上記第１〜第２の実施形態においては、ＤＥＭＵＸ回路４から出力される付加情報に基づいて受信可能なデジタル放送チャンネルを選択する場合について説明したが、これに限定されるものではなく、予めデジタル放送受信装置を設置する区域に対応した受信可能なデジタル放送チャンネルを記憶テーブルに記憶させておき、設置区域に応じて記憶テーブルから受信可能なデジタル放送チャンネルを読み出して設定するようにしてもよい。
【００６４】
さらにまた、上記第１〜第３の実施形態においては、受信可能なデジタル放送チャンネルを番号が小さいものから順にソートする場合について説明したが、これに限定されるものではなく、チャンネル番号が大きいものから順にソートするようにしてもよく、チャンネル番号をランダムに配置するようにしてもよい。
さらにまた、上記第１〜第３の実施形態においては、主デジタルチューナー２で受信しているチャンネル番号については副デジタルチューナー３で受信をスキップする場合について説明したが、これに限定されるものではなく、受信可能な全てデジタル放送チャンネルについて映像信号を記憶するようにしてもよい。
【００６５】
なおさらに、上記第１〜第３の実施形態においては、主デジタルチューナー２及び副デジタルチューナー３について夫々チューナー数が１個である場合について説明したが、これに限定されるものではなく、主デジタルチューナー２を複数のデジタルチューナーで構成して、各デジタルチューナーで異なるデジタル放送を受信するようにして受信切換処理を高速化させたり、副デジタルチューナー３を複数のデジタルチューナーで構成して、受信切換処理を高速化させたりすることもでき、さらには、チューナー、ＤＥＭＵＸ回路及びデコーダを複数組設けて、ＴＳ同期処理による待ち時間を短縮することもできる。
【００６６】
また、上記第１及び第２の実施形態ではチャンネル選択部としてリモコン１６を適用した場合について説明したが、これに限定されるものではなく、テンキーやキーボード等をチャンネル選択部として適用するようにしてもよい。
さらに、上記第１〜第３の実施形態においては、デジタル放送のチャンネルを切換える場合について説明したが、放送データ記憶部１０にＤＥＭＵＸ回路５から出力されるデータ放送のデータを蓄積しておき、ユーザーが映像放送データの視聴状態からデータ放送の視聴状態に切換えたときに、放送データ記憶部１０に記憶さているデータ放送のデータを映像処理回路８に供給することにより素早く画面変更が可能となる。また、データ放送内で次の画面への移行も待ち時間なく移行することが可能となる。
【図面の簡単な説明】
【００６７】
【図１】本発明の第１の実施形態を示すブロック図である。
【図２】中央処理装置で実行するデジタル放送受信処理手順の一例を示すフローチャートである。
【図３】本発明の第２の実施形態を示すブロック図である。
【図４】第２の実施形態における中央処理装置で実行するデジタル放送受信処理手順の一例を示すフローチャートである。
【図５】本発明の第３の実施形態を示す中央処理装置で実行する使用頻度計測処理手順の一例を示すフローチャートである。
【図６】各デジタル放送チャンネルの選局順位を示す説明図である。
【符号の説明】
【００６８】
１…受信アンテナ、２…主デジタルチューナー、３…副デジタルチューナー、４，５…ＤＥＭＵＸ回路、６，７…デコーダ、８…映像処理回路、１１…表示制御部、１２…表示装置、１４…制御回路、１４ａ…中央処理装置、１４ｂ…ＲＯＭ、１４ｃ…ＲＡＭ、１４Ｍ…マイクロコンピュータ、１５…リモコン受信回路、１６…リモコン
【図１】
2006191267.tif 000003
【図２】
2006191267.tif 000004
【図３】
2006191267.tif 000005
【図４】
2006191267.tif 000006
【図５】
2006191267.tif 000007
【図６】
2006191267.tif 000008